(57)【要約】【課題】ユーザが所望する複数のフォルダの内容を、ユーザが所望する表示方法で容易に表示する。【解決手段】複数のフォルダのうちの２つ以上のフォルダの選択を受け付ける検出部（２１）と、検出部（２１）が、２つ以上のフォルダそれぞれの選択を受け付けたタイミングの相互関係と対応する表示方法で、２つ以上のフォルダに収容された収容物を一覧表示させる表示制御部（２３）と、を備えている。【選択図】図１
2015022348.tif 000002
【特許請求の範囲】
【請求項１】
複数のフォルダを表示可能で、表示しているフォルダのうち選択されたフォルダに収容された収容物を表示する情報表示装置において、
上記複数のフォルダのうちの２つ以上のフォルダの選択を受け付ける受付手段と、
上記受付手段が上記２つ以上のフォルダそれぞれの選択を受け付けたタイミングの相互関係と対応する表示方法で、上記２つ以上のフォルダに収容された収容物を一覧表示させる表示制御手段と、
を備えていることを特徴とする情報表示装置。
【請求項２】
上記表示制御手段は、所定の時間内に上記受付手段が選択を受け付けた上記２つ以上のフォルダに収容された収容物をマージして一覧表示することを特徴とする請求項１に記載の情報表示装置。
【請求項３】
上記表示制御手段は、上記受付手段が連続して選択を受け付けた上記２つ以上のフォルダの上記タイミングの差が所定の時間を超える場合、当該２つ以上のフォルダに収容された収容物を上記受付手段が受け付けた選択順に一覧表示することを特徴とする請求項１または２に記載の情報表示装置。
【請求項４】
請求項１〜３のいずれか１項に記載の情報表示装置としてコンピュータを機能させるための制御プログラムであって、コンピュータを上記各手段として機能させるための制御プログラム。
【請求項５】
複数のフォルダを表示可能で、表示しているフォルダのうち選択されたフォルダに収容された収容物を表示する情報表示装置の制御方法において、
上記複数のフォルダのうちの２つ以上のフォルダの選択を受け付ける受付ステップと、
上記受付ステップで、上記２つ以上のフォルダそれぞれの選択を受け付けたタイミングの相互関係と対応する表示方法で、上記２つ以上のフォルダに収容された収容物を一覧表示させる表示制御ステップと、
を含むことを特徴とする情報表示装置の制御方法。
【発明の詳細な説明】
【技術分野】
【０００１】
本発明は、選択されたフォルダの内容を表示する情報表示装置等に関する。
【背景技術】
【０００２】
従来から、フォルダ表示のような、階層構造でデータをグループ分けした表示方法が知られている。このようなフォルダ表示においてフォルダの内容を確認する場合、当該フォルダを選択して内容を表示させる必要がある。また、複数のフォルダの内容を確認する場合は、それぞれのフォルダを選択して内容を表示させる必要がある。
【０００３】
特許文献１には、同じグループに所属する複数のフォルダの内容を、画面を分割して表示する技術が開示されている。
【０００４】
また、特許文献２には、選択された複数の検索条件の論理積にあたる条件で検索を行い、結果を表示する技術が開示されている。
【先行技術文献】
【特許文献】
【０００５】
【特許文献１】特開２００８−３９１０号公報（２００８年１月１０日公開）
【特許文献２】特開２０００−１６３４４３号公報（２０００年６月１６日公開）
【発明の概要】
【発明が解決しようとする課題】
【０００６】
上述したように、従来技術では、複数のフォルダの内容を確認したい場合に、各フォルダをそれぞれ選択し、その内容を表示させるという一連の操作を行う必要があり、処理が煩雑である。また、表示される内容も選択したフォルダそれぞれが独立して表示されてしまう。
【０００７】
また、特許文献１では、グループに属する全てのフォルダの内容を表示させており、ユーザの所望のフォルダについてのみ、その内容を表示させることはできない。
【０００８】
また、特許文献２は、検索条件の論理積にあたる条件での検索結果を単に表示するものであり、ユーザの所望の表示方法で表示させることはできない。
【０００９】
本発明は、上記課題に鑑みてなされたものであり、その目的は、ユーザが所望する複数のフォルダの内容を、ユーザが所望する表示方法で容易に表示する情報表示装置等を実現することにある。
【課題を解決するための手段】
【００１０】
上記の課題を解決するために、本発明の一態様に係る情報表示装置は、複数のフォルダを表示可能で、表示しているフォルダのうち選択されたフォルダに収容された収容物を表示する情報表示装置において、上記複数のフォルダのうちの２つ以上のフォルダの選択を受け付ける受付手段と、上記受付手段が、上記２つ以上のフォルダそれぞれの選択を受け付けたタイミングの相互関係と対応する表示方法で、上記２つ以上のフォルダに収容された収容物を一覧表示させる表示制御手段と、を備えている。
【発明の効果】
【００１１】
本発明の一態様によれば、選択を受け付けたタイミングの相互関係と対応する表示方法で、選択されたフォルダに収容された収容物を表示させることができる。よって、ユーザの所望となるように、上記タイミングの相互関係と表示方法とを対応させておけば、フォルダを選択するタイミングに合わせてフォルダに収容された収容物を、ユーザの所望の表示方法で一覧表示させることが可能となるという効果を奏する。
【図面の簡単な説明】
【００１２】
【図１】本発明に係る情報処理装置の要部構成を示すブロック図である。
【図２】（ａ）は上記情報表示装置で用いる選択フォルダ記録テーブルを示す図であり、（ｂ）は上記情報表示装置で用いる表示方法決定テーブルを示す図である。
【図３】上記情報表示装置におけるフォルダ選択処理の流れを示すフローチャートである。
【図４】上記フォルダ選択処理を説明するための図である。
【図５】上記フォルダ選択処理を説明するための図である。
【図６】上記フォルダ選択処理を説明するための図である。
【図７】上記フォルダ選択処理において、選択を解除する場合の表示例を示す図である。
【図８】フォルダの内容を表示する例を示す図であり、（ａ）は表示される内容の大きさを変更する場合の例を示す図であり、（ｂ）は横方向に表示する場合の例を示す図である。
【発明を実施するための形態】
【００１３】
〔実施形態１〕
本発明の一実施形態について、図１〜図７に基づいて説明すれば以下の通りである。本実施形態に係る情報表示装置１はユーザインターフェースとしてタッチパネル１１を有しており、ユーザはタッチパネル１１を指やタッチペンなどの指示体でタッチすることにより各種操作を行うことができる。タッチパネル１１は、例えば２本指でタッチしてその指をスライドさせるといったような、同時に複数座標にタッチしての操作が可能なマルチタッチパネルである。ユーザは、タッチパネル１１に表示されているアイコンにタッチして、所望の操作を実行することが可能である。例えば、ユーザは、タッチパネル１１に表示されている任意のアイコンにタッチすることで、当該アイコンが示すフォルダやファイルを選択することができる。
【００１４】
情報表示装置１は、表示中の複数のフォルダのうち、選択された２以上のフォルダの内容（収容物、例えば、ファイル、サブフォルダ等）を、選択されたタイミングと対応させた表示方法で一覧表示するものである。これにより、ユーザに対し、ユーザが選択したタイミングに合わせた表示方法でフォルダの内容を一覧表示することができる。
【００１５】
また、情報表示装置１は、スマートフォン、タブレット型端末、ＰＤＡ（Personal Digital Assistant）、ノート型パソコンなどのマルチタッチパネルを搭載したあらゆる機器を含む。
【００１６】
なお、本実施形態では、指等の指示体がタッチパネルに触れる動作をタッチダウンと呼び、指示体がタッチパネルに触れている状態から離れる動作を、タッチアップと呼ぶ。
【００１７】
〔１．装置の構成〕
まず、本実施形態に係る情報表示装置１の構成について、図１を参照して説明する。図１に示すように、情報表示装置１は、制御部１０、タッチパネル１１、および記憶部１２を含む構成である。また、制御部１０は、検出部２１、記録制御部２２、および表示制御部（表示制御手段）２３を含み、検出部（受付手段）２１には接触判定部２５および位置判定部２６が含まれる。また、タッチパネル１１は操作受付部３１および表示部３２を含む。
【００１８】
記憶部１２は、各種データおよびプログラムを記憶するものである。記憶部１２には、情報表示装置１の動作に必要なプログラム、制御データなどの固定データを記憶する読出し専用の半導体メモリであるＲＯＭ（Read Only Memory）、演算に使用するデータおよび演算結果などを一時的に記憶するワーキングメモリとしてのＲＡＭ（Random Access Memory）、および各種の設定データなどを記憶する書換え可能な不揮発性メモリ（例えばフラッシュメモリ）とが含まれている。
【００１９】
また、記憶部１２には、選択フォルダ記録テーブル４１および表示方法決定テーブル４２が含まれる。選択フォルダ記録テーブル４１は、タッチパネル１１に表示中のフォルダが選択されたときの選択されたフォルダと選択された時間とが対応付けられたものであり、記録制御部２２により記録される。選択フォルダ記録テーブル４１の例を図２（ａ）に示す。図２（ａ）に示す例では、フォルダＡ、Ｂ、Ｃが選択されており、フォルダＡが選択された時刻が「15:00:01.453」、フォルダＢが選択された時刻が「15:00:01.492」、フォルダＣが選択された時刻が「15:00:03.222」となっている。
【００２０】
また、表示方法決定テーブル４２は、選択されたフォルダの選択時刻の差によって、どのようの表示方法でフォルダの内容を表示するかを決定するために表示制御部２３が用いるテーブルである。表示方法決定テーブル４２の例を図２（ｂ）に示す。図２（ｂ）に示す例では、時刻差が０．１ｍｓ以内の場合は、それぞれのフォルダの内容をマージした表示方法となり、時刻差が０．１ｍｓより大きい場合は、時刻の早いものを上に、それぞれ別個に表示する表示方法となる。
【００２１】
ここで、マージして一覧表示とは、選択されたフォルダそれぞれの内容を、別個に表示するのではなく、あたかも１つのフォルダに入っていたかのように表示するものである。
【００２２】
なお、本実施形態では、内容をマージして表示する時刻差として「１００ｍｓ」を基準にしているが、これに限られるものではない。人が同時と感じるような時刻差であればよく、１００ｍｓより大きくてもよいし、逆に小さくてもよい。
【００２３】
タッチパネル１１は、操作受付部３１および表示部３２を含む。タッチパネル１１は、マルチタッチパネルである。これにより、ピンチアウトやピンチインのように、同時に複数の座標へタッチした場合の操作を検出することができる。なお、タッチパネル１１のタッチ検出方式としては、抵抗膜方式、静電容量方式など、任意の検出方式が考えられる。
【００２４】
操作受付部３１は、表示部３２の表示画面上に設置されているか、または該表示画面と一体となって形成されている。操作受付部３１は、利用者の指、ペンなど、表示画面上の位置を指し示すポインタが当該表示画面上の何れの位置に接触または接近（以下、「タッチ」とも称する。）したかを検出することにより、情報表示装置１に対する操作を受け付けるものである。操作受付部３１は、タッチを検出したこと、およびタッチが離れたことおよびその位置を示す情報を検出部２１に送信する。
【００２５】
表示部３２は、制御部１０から受信した情報に基づいて、表示画面に画像を表示するものである。表示部３２は、ＬＣＤ（Liquid Crystal Display）、ＥＬ（Electroluminescence）ディスプレイなどの表示素子と、受信した画像データに基づいて表示素子を駆動するドライバ回路とを備えた構成である。また、表示部３２は、表示制御部２３からの表示処理信号に応じて、表示部３２に表示中のアイコンに対する操作画面等を表示する。
【００２６】
制御部１０は、情報表示装置１内の各種構成を統括的に制御するものであり、ＣＰＵ（Central Processing Unit）などのプロセッサを含む。また、制御部１０は、タッチパネル１１に対するタッチダウンおよびタッチアップの位置および時刻を検出し、タッチパネル１１において表示されているフォルダの内容を一覧表示するための制御を行う。
【００２７】
検出部２１は、接触判定部２５および位置判定部２６を含み、タッチパネル１１に対するタッチ操作に係る信号を操作受付部３１から受け取ることにより、タッチパネル１１に対するタッチダウン、タッチアップの判定、およびその位置にフォルダが存在するか否かを判定するものである。そして、タッチアップ、タッチダウンの判定結果、およびその位置にフォルダが存在するか否の判定結果を示す情報を記録制御部２２および表示制御部２３に通知する。また、検出部２１は、タッチアップを検出したときに、タッチパネル１１に対するタッチダウン状態（接触状態）となっている箇所が無い場合、その旨を示すオールタッチアップ情報も、記録制御部２２および表示制御部２３に通知する。
【００２８】
本実施形態では、フォルダ（アイコン）がタッチダウンされることにより当該フォルダが選択候補となり、タッチアップされることにより当該フォルダが選択されたことになる。
【００２９】
接触判定部２５は、操作受付部３１からタッチ操作に係る信号を受信して、タッチパネル１１に対するタッチダウンまたはタッチアップの判定を行う。
【００３０】
位置判定部２６は、操作受付部３１からタッチダウンまたはタッチアップがあった位置を取得し、当該位置にフォルダが存在するか否かを判定する。
【００３１】
記録制御部２２は、検出部２１からタッチアップがあったという判定結果、およびタッチアップがあった位置にフォルダが存在するとの判定結果を受信すると、タッチアップされた時刻（選択時刻）とタッチアップされたフォルダとを対応付けて記憶部１２の選択フォルダ記録テーブル４１に記録する。
【００３２】
また、記録制御部２２は、検出部２１からオールタッチアップ情報を受信し、表示制御部２３が表示部３２にフォルダの内容を表示した後は、記憶部１２に格納されている選択フォルダ記録テーブル４１をクリアにする。
【００３３】
表示制御部２３は、検出部２１からオールタッチアップ情報を受信すると、記憶部１２に格納されている選択フォルダ記録テーブル４１および表示方法決定テーブル４２を用いて、選択されたフォルダの内容を表示部３２に表示する。図２示す例では、フォルダＡの選択時刻が「15:00:01.453」、フォルダＢの選択時刻が「15：00：01.492」なので、フォルダＡの選択時刻とフォルダＢの選択時刻との差分は、０．１ｍｓ以内である。よって、フォルダＡの内容とフォルダＢの内容とがマージされた状態で表示部３２に表示する。また、フォルダＣの選択時刻は「15：00：03.222」で、フォルダＢの選択時刻との差分は、０．１ｍｓより大きい。よって、フォルダＣの内容は、フォルダＡの内容とフォルダＢ内容とがマージされて表示されているものの下に表示する。
【００３４】
すなわち、表示制御部２３は、フォルダ間の選択時刻（選択を受け付けたタイミング）の相互関係と対応づけられた表示方法（マージ表示か、選択順の別個表示か）で、フォルダの内容を表示するものである。
【００３５】
また、表示制御部２３は、検出部２１からタッチダウンがあったという判定結果、およびタッチダウンがあった位置にフォルダが存在するとの判定結果を受信すると、タッチダウンされたフォルダが選択候補となったこと示す表示を行う。
【００３６】
〔２．処理の流れ〕
次に、情報表示装置１における処理の流れの一例について、図３を参照して説明する。図３は、情報表示装置１における処理の流れの一例を示すフローチャートである。
【００３７】
まず、検出部２１は、タッチパネル１１に対するタッチダウンまたはタッチアップを判定する（Ｓ１）。タッチダウンの場合（Ｓ２でＮＯ）、検出部２１はフォルダ上でのタッチダウンか否かを判定し（Ｓ９）、フォルダ上でのタッチダウンであれば（Ｓ９でＹＥＳ）、表示制御部２３は、当該フォルダを選択候補フォルダとして表示する（Ｓ１０）。そして、ステップＳ１に戻る。また、タッチダウンがフォルダ上でない場合も（Ｓ９でＮＯ）、ステップＳ１に戻る。
【００３８】
また、タッチパネル１１からタッチアップされた場合（Ｓ２でＹＥＳ）、検出部２１は、タッチアップされる直前までの接触がフォルダ上であったか（タッチアップがフォルダ上であったか）を判定する（Ｓ３）。タッチアップがフォルダ上の場合（Ｓ３でＹＥＳ）、記録制御部２２は、タッチアップされたフォルダを選択フォルダとして、タッチアップされた時刻とフォルダとを対応付けて記憶部１２の選択フォルダ記録テーブル４１に記録する（Ｓ４）。そして、検出部２１は、タッチパネル１１に対する接触がまだあるか（タッチダウンされているフォルダがあるか）否かを判定し（Ｓ５）、タッチパネル１１に対する接触があれば（Ｓ５でＹＥＳ）、ステップＳ１に戻る。
【００３９】
一方、タッチパネル１１に対する接触が無ければ（Ｓ５でＮＯ）、表示制御部２３は、選択されたフォルダの内容を一覧表示する（Ｓ６）。そして、処理が終了する。
【００４０】
また、ステップＳ３で、タッチアップがフォルダ上ではなかった場合（Ｓ３でＮＯ）、検出部２１は、当該タッチアップと対応するタッチダウンはフォルダ上であったか否かを判定し（Ｓ７）、タッチダウンはフォルダ上であった場合（Ｓ７でＹＥＳ）、表示制御部２３は、当該フォルダの選択候補表示を解除する表示を行い（Ｓ８）、ステップＳ１に戻る。また、タッチダウンがフォルダ上ではなかった場合は（Ｓ７でＮＯ）、ステップＳ１に戻る。
【００４１】
〔３．操作例〕
次に、情報表示装置１に対する操作例について、図４〜７を参照して説明する。なお、以下では、選択時刻の差分が０．１ｍｓ以下の場合を「同時」と呼び、０．１ｍｓを超える場合を「同時ではない」と呼ぶ。
【００４２】
図４は、フォルダＢおよびフォルダＣが選択され、選択時刻の差分が０．１ｍｓ以下の場合（すなわち、同時の場合）を示している。図４の４０１に示すように、フォルダＡ〜Ｆが表示されている状態で、フォルダＢおよびフォルダＣが指等でタッチダウンされると、表示制御部２３は、フォルダＢおよびフォルダＣを選択候補として表示する（図４の４０２）。そして、タッチダウンされているフォルダＢおよびフォルダＣが同時にタッチアップされると（図４の４０３）、表示制御部２３は、フォルダＢとフォルダＣの内容をマージして一覧表示する（図４の４０４）。
【００４３】
図５は、フォルダＢおよびフォルダＣが選択され、選択時刻の差分が０．１ｍｓを超える場合（すなわち、同時でない場合）を示している。図５の５０１に示すように、フォルダＡ〜Ｆが表示されている状態で、フォルダＢおよびフォルダＣが指等でタッチダウンされると、表示制御部２３は、フォルダＢおよびフォルダＣを選択候補として表示する（図５の５０２）。そして、タッチダウンされているフォルダＣがタッチアップされ（図５の５０３）、次に、タッチダウンされているフォルダＢがタッチアップされると（図５の５０４）、表示制御部２３は、フォルダＣの内容を上に、フォルダＢの内容を下にした一覧表示でフォルダＣとフォルダＢの内容を表示する（図５の５０５）。
【００４４】
図６は、フォルダＢ、フォルダＣ、およびフォルダＤが選択され、フォルダＢとフォルダＤの選択時刻が同時で、フォルダＣの選択時刻がそれよりも遅い場合を示している。図６の６０１に示すように、フォルダＡ〜Ｆが表示されている状態で、フォルダＢ、フォルダＣ、およびフォルダＤが指等でタッチダウンされると、表示制御部２３は、フォルダＢ、フォルダＣ、およびフォルダＤを選択候補として表示する（図６の６０２）。そして、タッチダウンされているフォルダＢとフォルダＤとが同時にタッチアップされ（図６の６０３）、次に、タッチダウンされているフォルダＣがタッチアップされると（図６の６０４）、表示制御部２３は、フォルダＢとフォルダＤの内容をマージするととともに、フォルダＢとフォルダＤとがマージされたものの下にフォルダＣの内容を表示するように一覧表示する（図６の６０５）。
【００４５】
図７は、選択候補となったフォルダの選択候補を解除する場合を示している。図７の７０１に示すように、フォルダＡ〜Ｆが表示されている状態で、フォルダＢおよびフォルダＣが指等でタッチダウンされると、表示制御部２３は、フォルダＢおよびフォルダＣを選択候補として表示する（図７の７０２）。そして、指等がタッチされたまま、フォルダＢの位置から異なる位置に指等が移動されて、タッチアップされると、表示制御部２３は、フォルダＢの選択候補を解除する表示を行う（図７の７０３）。
【００４６】
なお、選択候補の解除については、タッチダウン後、タッチ状態を継続したままタッチ位置を移動させて、この位置が、選択フォルダの領域外に達したときに、当該フォルダの選択候補状態を解除する構成であってもよい。
【００４７】
〔実施形態２〕
本発明の他の実施形態について、以下に説明する。上述した実施形態では、タッチアップがあったときにフォルダが選択される構成としたが、本実施形態では、タッチダウンがあったときにフォルダが選択される構成である。
【００４８】
本実施形態では、例えば、フォルダ展開モードのような選択されたフォルダの内容を一覧表示させるモードにし、このモードの状態で、検出部２１がタッチダウンを検出することにより、複数のフォルダが選択される。そして、複数のフォルダが同時に選択された場合（選択時刻の差分が所定値（０．１ｍｓ）以下の場合）、それぞれのフォルダの内容をマージしたものを一覧表示する。また、複数のフォルダの選択が同時でなかった場合は、先に選択されたフォルダの内容を上にして一覧表示する。
【００４９】
なお、フォルダの選択が同時でない場合は、フォルダが選択されるたびに、一覧表示に加わるフォルダが増える。したがって、この場合は、選択されたフォルダが増えるたびに一覧表示に選択されたフォルダの内容を加えるように表示すればよい。
【００５０】
〔実施形態３〕
本発明のさらに他の実施形態について、図８を参照して説明する。上述した実施形態では、フォルダの内容を一覧表示するときに、縦方向（長方形の表示部の長手方向を縦方向とした場合）に、同じ大きさで表示していた。本実施の形態では、表示の方法を異ならせている。
【００５１】
まず、図８（ａ）に、一覧表示の一例を示す。図８（ａ）に示す例では、選択時刻の遅いフォルダＢの内容の表示サイズを、選択時刻の早いフォルダＣの内容の表示サイズよりも小さく表示し、選択されたフォルダの内容を一覧表示が表示部３２の一画面の範囲内に収まるように表示している。これにより、一覧表示の一部が画面からはみ出ることがないので、ユーザに対し、一覧性を高めた表示を提供することができる。
【００５２】
また、選択された順序に応じて、フォルダの内容表示の大きさを変化させてもよい。例えば、３つのフォルダＡ、Ｂ、Ｃがこの順序で選択された場合、順に３：２：１の比率の大きさで表示してもよい。さらに、３つのフォルダＡ、Ｂ、Ｃについて、フォルダＡとＢが同時に選択され、その後、フォルダＣが選択された場合は、フォルダＡ、Ｂ、Ｃの内容の表示の同比率を５：５：２として表示してもよい。
【００５３】
また、フォルダ内容の一覧表示をページ単位にしてもよい。表示画面内に収まらない一覧表示の部分については、次ページへの切り替え操作を受け付けることにより、表示されていなかった部分を一覧表示するという構成であってもよい。一覧表示が３ページ以上にわたる場合も同様である。
【００５４】
次に、図８（ｂ）に、一覧表示の別の例を示す。図８（ｂ）に示す例では、選択されたフォルダの一覧表示を横方向で行っている。
【００５５】
〔その他〕
上述した実施形態では、複数のフォルダが同時に選択された場合、フォルダの内容をマージして一覧表示している。この一覧表示は、ファイル名順であってもよいし、更新日時順であってもよい。
【００５６】
また、フォルダ内にサブフォルダが含まれている場合、フォルダに含まれているファイルとサブフォルダとを並べて表示する構成であってもよいし、フォルダに含まれているファイルとサブフォルダに含まれているファイルとを並べて表示する構成であってもよい。
【００５７】
また、上述した実施形態では、フォルダの内容を一覧表示する例について説明したが、一覧表示されるものはフォルダの内容に限られるものではない。例えば、クリックされることによりリンク先を表示するハイパーリンクが複数表示されているときに、ハイパーリンクに対し、上述したフォルダに対する操作と同様の操作を行うことにより、同様の処理が可能である。
【００５８】
〔ソフトウェアによる実現例〕
情報表示装置１の制御ブロック（特に検出部２１、記録制御部２２、表示制御部２３、接触判定部２５、および位置判定部２６）は、集積回路（ＩＣチップ）等に形成された論理回路（ハードウェア）によって実現してもよいし、ＣＰＵ（Central Processing Unit）を用いてソフトウェアによって実現してもよい。
【００５９】
後者の場合、情報表示装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６０】
〔まとめ〕
本発明の態様１に係る情報表示装置１は、複数のフォルダを表示可能で、表示しているフォルダのうち選択されたフォルダの内容を表示する情報表示装置１において、上記複数のフォルダのうちの２つ以上のフォルダの選択を受け付ける受付手段（検出部２１）と、上記受付手段が、上記２つ以上のフォルダそれぞれの選択を受け付けたタイミングの相互関係と対応する表示方法で、上記２つ以上のフォルダに収容された収容物を一覧表示させる表示制御手段（表示制御部２３）と、を備えていることを特徴としている。
【００６１】
上記の構成によれば、選択を受け付けたタイミングの相互関係と対応する表示方法で、選択されたフォルダに収容された収容物（例えば、ファイルやサブフォルダ等）を表示させることができる。よって、ユーザの所望となるように、上記タイミングの相互関係と表示方法とを対応させておけば、フォルダを選択するタイミングに合わせてフォルダに収容された収容物を、ユーザの所望の表示方法で一覧表示させることが可能となる。
【００６２】
本発明の態様２に係る情報表示装置１は、上記態様１において、上記表示制御手段が、所定の時間内に上記受付手段が選択を受け付けた上記２つ以上のフォルダに収容された収容物をマージして一覧表示するものであってもよい。
【００６３】
上記の構成によれば、所定時間内に選択を受け付けた２つ以上のフォルダに収容された収容物をマージして一覧表示する。よって、例えば、所定時間をユーザが同時と感じるような時間にすれば、ユーザが同時に選択したと感じる２つ以上のフォルダに収容された収容物をマージして一覧表示させることができる。これにより、ユーザに対し、直感的な操作でユーザの所望する一覧表示を提示することができる。
【００６４】
本発明の態様３に係る情報表示装置１は、上記態様１または２において、上記表示制御手段が、上記受付手段が連続して選択を受け付けた上記２つ以上のフォルダの上記タイミングの差が所定の時間を超える場合、当該２つのフォルダに収容された収容物を別個に一覧表示するものであってもよい。
【００６５】
上記の構成によれば、選択のタイミングの差が所定時間を超える２つ以上のフォルダに収容された収容物を別個に一覧表示する。よって、所定時間をユーザが同時と感じるような時間にすれば、ユーザが差を付けて選択したと感じる２つ以上のフォルダに収容された収容物を別個に一覧表示させることができる。これにより、ユーザに対し、直感的な操作感を提供することができる。
【００６６】
本発明の態様４に係る情報表示装置１は、上記態様３において、上記表示制御手段が、上記２つ以上のフォルダに収容された収容物を別個に一覧表示する場合、上記受付手段が受け付けた選択順に一覧表示するものであってもよい。
【００６７】
上記の構成によれば、ユーザが差をつけて選択した順序でフォルダに収容された収容物が別個に一覧表示される。これにより、ユーザに対し、直感的な操作感でユーザが所望した順序の一覧表示を提供することができる。
【００６８】
本発明の態様５に係る情報表示装置の制御方法は、複数のフォルダを表示可能で、表示しているフォルダのうち選択されたフォルダに収容された収容物を表示する情報表示装置の制御方法において、上記複数のフォルダのうちの２つ以上のフォルダの選択を受け付ける受付ステップ（Ｓ９）と、上記受付ステップで、上記２つ以上のフォルダそれぞれの選択を受け付けたタイミングの相互関係と対応する表示方法で、上記２つ以上のフォルダに収容された収容物を一覧表示させる表示制御ステップ（Ｓ６）と、を含むことを特徴としている。これにより、上記態様１の同様の効果を奏することができる。
【００６９】
本発明の各態様に係る情報表示装置は、コンピュータによって実現してもよく、この場合には、コンピュータを上記情報表示装置が備える各手段として動作させることにより上記情報表示装置をコンピュータにて実現させる情報表示装置の制御プログラム、およびそれを記録したコンピュータ読み取り可能な記録媒体も、本発明の範疇に入る。
【００７０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００７１】
本発明は、フォルダ表示のように階層構造でデータをグループ分けした表示を行う情報表示装置に利用することができる。
【符号の説明】
【００７２】
１    情報処理装置
１１    タッチパネル
２１    検出部（受付手段）
２２    記録制御部
２３    表示制御部（表示制御手段）
【図１】
2015022348.tif 000003
【図２】
2015022348.tif 000004
【図３】
2015022348.tif 000005
【図４】
2015022348.tif 000006
【図５】
2015022348.tif 000007
【図６】
2015022348.tif 000008
【図７】
2015022348.tif 000009
【図８】
2015022348.tif 000010